(57)【要約】【課題】  デジタルＴＶ放送とアナログＴＶ放送が並存する場合、従来技術と大差ないハードウェア構成で、誤検出なく、確実にアナログＴＶ放送のみに自動同調するアナログＴＶ受信機を提供する。【解決手段】  ＰＬＬ周波数シンセサイザ（１０４〜１０５）による自動同調手段を備え、映像信号系統と音声信号系統を独立して処理するアナログＴＶ放送受信機であって、自動同調動作手段を特定の周波数で停止させる受信レベルを音声信号系統からレベル検波により生成するレベル検出手段（１１２）と制御手段（１１３）とを備え、制御手段は、受信レベルが第１の閾値を超えた場合に、自動同調手段の同調周波数を映像搬送波の方向に変化させて停止させ、このとき受信レベルが第２の閾値を超えない場合にアナログＴＶ放送波有りと判別することを特徴とする。【選択図】      図１
2007037023.tif 000002
【特許請求の範囲】
【請求項１】
アナログＴＶ放送受信機であって、
受信された電波のうち所望の周波数の電波を取り出すための同調手段と、
同調手段で取り出した電波の受信レベルを音声信号系統から検出する受信レベル検出手段と、
前記受信レベルが第１の閾値を超えた場合に、前記同調手段の同調周波数を映像搬送波の方向に変化させて停止させ、このとき前記受信レベルが第２の閾値を超えない場合にアナログＴＶ放送波有りと判別する制御手段とを備えることを特徴とする、アナログＴＶ放送受信機。
【請求項２】
アナログＴＶ放送受信機であって、
受信された電波のうち所望の周波数の電波を取り出すための同調手段と、
同調手段で取り出した電波の受信レベルを映像信号系統から検出する映像系受信レベル検出手段と、
同調手段で取り出した電波の受信レベルを音声信号系統から検出する音声系受信レベル検出手段と、
前記映像系受信レベルが第１の閾値を超えた場合に、前記同調手段の同調周波数を音声搬送波の方向に変化させて停止させ、このとき前記音声系受信レベルが第２の閾値を超えない場合にアナログＴＶ放送波有りと判別する制御手段とを備えることを特徴とする、アナログＴＶ放送受信機。
【請求項３】
更に、映像信号系統より垂直帰線期間を検出する垂直同期検出手段を備え、
前記制御手段は、前記音声信号系統から検出した受信レベルが第１の閾値を越えた場合に、前記同調手段の同調周波数を映像搬送波の方向に変化させて停止させ、前記垂直帰線期間において前記音声信号系統から検出した受信レベルが第２の閾値を越えない場合にアナログＴＶ放送波ありと判別することを特徴とする、請求項１に記載のアナログＴＶ放送受信機。
【請求項４】
前記制御手段は、前記音声信号系統から受信した受信レベルが前記第１の閾値を越えた場合に、前記同調手段の同調周波数を映像搬送波の方向に変化させて停止させ、前記音声信号系統から検出した受信レベルをフィールド走行期間内に（２ｎ−１）回検出し（ｎは２以上の整数）、前記音声信号系統から受信した受信レベルが前記第２の閾値を超える回数がｎ回未満である場合にアナログＴＶ放送波有りと判別することを特徴とする、請求項１に記載のアナログＴＶ放送受信機。
【請求項５】
前記制御手段は、前記音声信号系統から受信した受信レベルが前記第１の閾値を越えた場合に、前記同調手段の同調周波数を映像帯域上端部に設定されるように前記同調周波数を映像搬送波の方向に変化させて停止させ、このとき前記音声信号系統から検出した受信レベルが前記第２の閾値を越えない場合にアナログＴＶ放送波有りと判別することを特徴とする、請求項１に記載のアナログＴＶ放送受信機。
【請求項６】
前記第１の閾値は、アナログＴＶ放送の受信を確実に検出できる値とし、前記第２の閾値は、デジタル放送の受信のみを確実に検出できる値とする、請求項１乃至５のいずれか１項に記載のアナログＴＶ放送受信機。
【発明の詳細な説明】
【技術分野】
【０００１】
本発明は、アナログ放送とデジタル放送とを判別する機能を備えたアナログＴＶ受信機に関するものである。
【背景技術】
【０００２】
現在、地上デジタルテレビジョン放送（以下「デジタルＴＶ放送」と記す）と、地上アナログテレビジョン放送（以下「アナログＴＶ放送」と記す）とが並存しており、両者のチャンネル毎の割り当てられている周波数帯域は隣接することが知られている（例えば、特許文献１参照）。また、デジタルＴＶ放送波の信号成分は、ＴＶ信号伝送帯域（６ＭＨｚ）に近い５．７ＭＨｚの帯域幅を持ち、一定のキャリヤ間隔（１ＫＨｚ等）で均一に分布する。
【０００３】
従来、アナログＴＶ放送の自動同調の停止信号（トリガ）には、音声信号キャリヤをレベル検波して得る方法が用いられている。この方法を用いてアナログＴＶ放送に自動同調しようとした場合、音声キャリヤ付近に分布するデジタル放送波がトリガになり、デジタルＴＶ放送に自動同調してしまう誤検出が生じる問題があった。
【０００４】
【特許文献１】特開２０００−３５０１０７号公報
【発明の開示】
【発明が解決しようとする課題】
【０００５】
そこで、本発明は、デジタルＴＶ放送とアナログＴＶ放送が並存する場合においても、従来技術と大差ないハードウェア構成で、誤検出なく、確実にアナログＴＶ放送のみに自動同調するアナログＴＶ受信機を提供することを目的とする。
【課題を解決するための手段】
【０００６】
本発明によるアナログＴＶ放送受信機は、アナログＴＶ放送受信機であって、受信された電波のうち所望の周波数の電波を取り出すための同調手段と、同調手段で取り出した電波の受信レベルを音声信号系統から検出する受信レベル検出手段と、前記受信レベルが第１の閾値を超えた場合に、前記同調手段の同調周波数を映像搬送波の方向に変化させて停止させ、このとき前記受信レベルが第２の閾値を超えない場合にアナログＴＶ放送波有りと判別する制御手段とを備えることを特徴とする。
【０００７】
また、本発明によるアナログＴＶ放送受信機は、アナログＴＶ放送受信機であって、受信された電波のうち所望の周波数の電波を取り出すための同調手段と、同調手段で取り出した電波の受信レベルを映像信号系統から検出する映像系受信レベル検出手段と、同調手段で取り出した電波の受信レベルを音声信号系統から検出する音声系受信レベル検出手段と、前記映像系受信レベルが第１の閾値を超えた場合に、前記同調手段の同調周波数を音声搬送波の方向に変化させて停止させ、このとき前記音声系受信レベルが第２の閾値を超えない場合にアナログＴＶ放送波有りと判別する制御手段とを備えることを特徴とする。
【０００８】
また、本発明によるアナログＴＶ放送受信機は、更に、映像信号系統より垂直帰線期間を検出する垂直同期検出手段を備え、前記制御手段は、前記音声信号系統から検出した受信レベルが第１の閾値を越えた場合に、前記同調手段の同調周波数を映像搬送波の方向に変化させて停止させ、前記垂直帰線期間において前記音声信号系統から検出した受信レベルが第２の閾値を越えない場合にアナログＴＶ放送波ありと判別することを特徴とする。
【０００９】
前記制御手段は、前記音声信号系統から受信した受信レベルが前記第１の閾値を越えた場合に、前記同調手段の同調周波数を映像搬送波の方向に変化させて停止させ、前記音声信号系統から検出した受信レベルをフィールド走行期間内に（２ｎ−１）回検出し（ｎは２以上の整数）、前記音声信号系統から受信した受信レベルが前記第２の閾値を超える回数がｎ回未満である場合にアナログＴＶ放送波有りと判別する。
【００１０】
前記制御手段は、前記音声信号系統から受信した受信レベルが前記第１の閾値を越えた場合に、前記同調手段の同調周波数を映像帯域上端部に設定されるように前記同調周波数を映像搬送波の方向に変化させて停止させ、このとき前記音声信号系統から検出した受信レベルが前記第２の閾値を越えない場合にアナログＴＶ放送波有りと判別する。
【００１１】
前記第１の閾値は、アナログＴＶ放送の受信を確実に検出できる値とし、前記第２の閾値は、デジタル放送の受信のみを確実に検出できる値とする。
【発明の効果】
【００１２】
本発明によれば、音声搬送波よりも映像帯域寄りの信号レベルを検出することにより、アナログ／デジタル放送を判別している。これにより、従来と大差無いハードウェア構成を用いて、デジタル放送波の誤検出が少ない自動同調機能を備えたアナログＴＶ放送受信機を実現することができる。
【実施例１】
【００１３】
図１は、本発明の実施例１によるアナログＴＶ受信機である。
同図を参照し、この受信機の構成について説明する。
【００１４】
アンテナ１０１で受信された信号は、無線周波増幅部１０２で増幅され、第１の混合器１０３に送られる。混合器１０３では、無線周波増幅部１０２の出力信号と第１の発振器１０４の出力信号とを混合して中間周波信号を生成する。この信号は、映像ＩＦフィルタ１０６及び音声ＩＦフィルタ１０９に送られて、それぞれフィルタリングされ、映像帯域の信号と音声帯域の信号が取り出される。
【００１５】
映像ＩＦフィルタ１０６の出力信号は、映像ＩＦ増幅部１０７で増幅され、更に、映像復調部１０８で復調されて、映像信号が得られる。また、音声ＩＦフィルタ１０９の出力信号は、音声ＩＦ増幅部１１０で増幅され、更に、音声復調部１１１で復調されて、音声信号が得られる。
【００１６】
音声ＩＦ増幅部１１０の出力信号は、レベル検波部１１２にも送られ、ここで、受信レベル情報が検出され、該受信レベル情報は、制御部１１３に送られる。制御部１１３は、後述のフローに基づいて、ＰＬＬ１０５に与える分周比Ｎを制御する。ＰＬＬ１０５は、第１の発振器１０４と対になって、周波数シンセサイザを構成する。
【００１７】
図２は、ＰＬＬ周波数シンセサイザの原理図である。
図２において、図１の第１の発振器１０４に相当する電圧制御発振器２５の出力信号（周波数ｆo）は、図１の制御部１１３から与えられる分周比Ｎによって、プログラマブルディバイダ２６で分周されて周波数ｆo／Ｎの信号となり、位相比較器２３に入力される。この信号と水晶発振器２２の出力信号（周波数ｆi）が位相比較器２３で比較され、その結果得られた誤差信号は、低域フィルタ２４でフィルタリングされて、電圧制御発振器２５に与えられる。
【００１８】
上記誤差信号が０となるように電圧制御発振器２５の発振周波数が制御されるので、
ｆo／Ｎ＝ｆi
すなわち、
ｆo＝Ｎｆi
が成り立つ。
すなわち、図１の第１の発振器１０４は、図１の制御部１１３から与えられる分周比Ｎに比例した周波数の信号を出力する。
【００１９】
図３は、サーチアップ選局時における図１の制御部１１３の制御フローである。
同図を参照し、本発明の実施例１のアナログ放送／デジタル放送の判別機能について説明する。
【００２０】
まず、チャンネル間隔（例えば、６ＭＨｚ）に相当する分周比Ｋだけ、図１に示す制御部１１３の与える分周比Ｎを増加させる（Ｓ３０１）。これは、１つ上のチャンネルを選局することを目的とするものである。また、Ｎの初期値は、最下位のチャンネルの音声キャリヤの周波数に相当する値である。
【００２１】
次に、レベル検波部１１２から制御部１１３に入力された受信レベル情報に基づいて受信レベルの検出を行う（Ｓ３０２）。そして、検出された受信レベルが所定の第１の閾値を超えているか否かを判定する（Ｓ３０３）。受信レベルが所定の第１の閾値を超えた場合には（Ｙｅｓ）、アナログＴＶ放送又はデジタルＴＶ放送の受信レベル有りと判定し、Ｓ３０４に進み、そうでない場合には（Ｎｏ）、Ｓ３０１に進む。尚、第１の閾値は、アナログＴＶ放送を受信したときに、その受信を確実に検出できる値に設定する。
Ｓ３０１〜Ｓ３０３のループにより、Ｓ３０３で受信レベル有りと判定されるまで、次々に１つずつ上のチャンネルに同調周波数がシフトされる。
【００２２】
Ｓ３０３で受信レベル有りと判定されると（Ｙｅｓ）、周波数シフト量Δｆ（＜０）に相当する分周比Ｄ（＞０）だけ、制御部１１３の与える分周比Ｎを減少させ（Ｓ３０４）、レベル検波部１１２から制御部１１３に入力された受信レベル情報に基づいて受信レベルの検出を行う（Ｓ３０５）。これにより、音声キャリヤより｜Δｆ｜だけ低い（映像搬送周波数寄りの）周波数近傍の信号エネルギーレベルが検出される。
【００２３】
デジタルＴＶ放送の場合、周波数軸上で均一なエネルギー分布の特性により、Ｓ３０２において検出した１回目の受信レベルとＳ３０５において検出した２回目の受信レベルは、ほぼ同等となる。
【００２４】
それに対し、アナログＴＶ放送の場合、不均一なエネルギー分布（キャリヤ付近に集中）により、Ｓ３０５において検出した２回目のレベル検出が映像搬送周波数と色副搬送周波数の中間の近傍で行われるようにΔｆ（すなわち、Ｄ）を適当に選べば、Ｓ３０５において検出した２回目の受信レベルは、Ｓ３０２において検出した１回目の受信レベルより明らかに小さくなる。
【００２５】
そこで、Ｓ３０３でレベル有りと判定された受信レベルの放送がデジタルＴＶ放送である場合に、これを検出するため、第２の閾値を設定する。従って、第２の閾値は、デジタルＴＶ放送の受信のみを確実に検出できる値に設定する。尚、デジタル放送の受信レベルはある幅を有しており、アナログ放送の受信を確実に検出できる値（Ｓ３０２における第１の閾値）より小さい場合があるので、この第２の閾値は、第１の閾値よりやや小さく設定するのが好適である。
【００２６】
次に、Ｓ３０５において検出した２回目の受信レベルが所定の第２の閾値を超えるか否かを判定する（Ｓ３０６）。超える場合には（Ｙｅｓ）、デジタルＴＶ放送の受信レベル有りと判定し、Ｓ３０９に進む。そうでない場合には（Ｎｏ）、２回目の受信レベルは１回目の受信レベルより明らかに小さいので、アナログＴＶ放送の受信であると判定し、Ｓ３０７に進む。
【００２７】
受信したチャンネルがデジタルＴＶ放送であると判定された場合には、チャンネル間隔に相当する分周比Ｋと周波数シフト量Δｆに相当する分周比Ｄの和だけ、制御部１１３の与える分周比Ｎを増加させて（Ｓ３０９）、Ｓ３０２の受信レベル検出に進む。これにより、１つ上のチャンネルの音声キャリヤ周波数近傍の信号エネルギーレベルが検出される。
【００２８】
受信したチャンネルがアナログＴＶ放送であると判定された場合には、周波数シフト量Δｆに相当する分周比Ｄだけ、制御部１１３の与える分周比Ｎを増加させて（Ｓ３０７）、アナログＴＶ放送を受信する（Ｓ３０８）。
【００２９】
尚、Ｓ３０６では、所定の第２の閾値とＳ３０５で得た受信レベルとを比較することにより分岐先を判定しているが、Ｓ３０２で得た受信レベルとＳ３０５で得た受信レベルの差を算出し、この差が所定の第３の閾値より大きい場合にＳ３０７に進み、そうでない場合にＳ３０９に進むようにしてもよい。
【００３０】
本実施例によれば、従来と同じハードウェア構成を用いてデジタル波の誤検出が少ない自動同調機能を備えたアナログＴＶ放送受信機を実現することができる。
【実施例２】
【００３１】
図４は、本発明の実施例２によるアナログＴＶ受信機である。実施例１と実施例２における構成要素で同一のものには同一の参照番号を付してある。
【００３２】
本実施例の受信機の構成は、実施例１の受信機の構成とほぼ同じであるが、映像ＩＦ増幅部１０７の出力信号を映像系レベル検波部４０１に入力し、ここで映像系信号の受信レベル情報を検出し、それを制御部１１３に入力する構成を加えた点が異なる。
【００３３】
また、制御部の制御フローは、実施例１と実施例２で共通であるが、Ｓ３０２の受信レベル検出を音声系レベル検波部ではなく、映像系レベル検波部から得られる受信レベル情報を用いて実行する点、及びΔｆ＞０でありＤ＜０である点が異なる。尚、サーチアップ選局時におけるＮの初期値は、最下位のチャンネルの映像キャリヤの周波数に相当する値である。また、閾値は、実施例１と同じように設定する。
【００３４】
すなわち、図３のＳ３０２の受信レベル検出は、映像系レベル検波部から得られる受信レベル情報を用いて行われ、Ｓ３０５のレベル検出は、音声系レベル検波部から得られる受信レベル情報を用いて、Ｓ３０２のレベル検出に対して音声搬送波方向にシフトされた周波数に同調した状態で行われる。
【００３５】
本実施例によれば、映像系キャリヤを用いて１回目の（Ｓ３０２の）レベル検出を行うことにより自動同調し、その後Δｆ（＞０）シフトした周波数で２回目の（Ｓ３０５の）レベル検出を音声系信号を用いて行うことによりアナログ／デジタル放送を判別する。これにより、映像信号重視で自動同調操作をするとき、デジタル波の誤検出が少ない自動同調機能を備えたアナログＴＶ放送受信機を実現することができる。
【実施例３】
【００３６】
図５は、本発明の実施例３によるアナログＴＶ受信機である。実施例１と実施例３における構成要素で同一のものには同一の参照番号を付してある。
【００３７】
本実施例の受信機の構成は、実施例１の受信機構成とほぼ同じであるが、映像復調部１０８から出力された映像信号を垂直同期検出部５０１に入力し、ここで垂直帰線期間を検出し、それを制御部１１３に入力する構成を加えた点が異なる。また、Δｆ、Ｄ、及び閾値は、実施例１と同じように設定する。
【００３８】
図６は、サーチアップ選局時における図５に示すアナログＴＶ受信機の制御部１１３の制御フローである。
同図を参照し、本発明の実施例３のアナログ放送／デジタル放送の判別機能について説明する。
【００３９】
まず、チャンネル間隔（例えば、６ＭＨｚ）に相当する分周比Ｋだけ、制御部１１３の与える分周比Ｎを増加させる（Ｓ６０１）。これは、１つ上のチャンネルを選局することを目的とするものである。また、Ｎの初期値は、最下位のチャンネルの音声キャリヤの周波数に相当する値である。
【００４０】
次に、音声系レベル検波部１１２から制御部１１３に入力された受信レベル情報に基づいて受信レベルの検出を行う（Ｓ６０２）。そして、検出された受信レベルが所定の第１の閾値を超えているか否かを判定する（Ｓ６０３）。受信レベルが所定の第１の閾値を超えた場合には（Ｙｅｓ）、アナログＴＶ放送又はデジタルＴＶ放送の受信レベル有りと判定し、Ｓ６０４に進み、そうでない場合には（Ｎｏ）、Ｓ６０１に進む。
Ｓ６０１〜Ｓ６０３のループにより、Ｓ６０３で受信レベル有りと判定されるまで、次々に１つずつ上のチャンネルに同調周波数がシフトされる。
【００４１】
Ｓ６０３で受信レベル有りと判定されると（Ｙｅｓ）、周波数シフト量Δｆ（＜０）に相当する分周比Ｄ（＞０）だけ、制御部１１３の与える分周比Ｎを減少させる（Ｓ６０４）。次に、垂直同期検出部５０１の出力信号を反復して測定し、垂直帰線期間になるまで待ち（Ｓ６０５、Ｓ６０６）、レベル検波部１１２から制御部１１３に入力された受信レベル情報に基づいて受信レベルの検出を行う（Ｓ６０７）。これにより、垂直帰線期間において、音声キャリヤより｜Δｆ｜だけ低い（映像搬送周波数寄りの）周波数近傍の信号エネルギーレベルが検出される。
【００４２】
次に、Ｓ６０７において検出した２回目の受信レベルが所定の第２の閾値を超えるか否かを判定する（Ｓ６０８）。超える場合には（Ｙｅｓ）、デジタルＴＶ放送の受信レベル有りと判定し、Ｓ６１１に進む。そうでない場合には（Ｎｏ）、２回目の受信レベルは１回目の受信レベルより明らかに小さいので、アナログＴＶ放送の受信であると判定し、Ｓ６０９に進む。
【００４３】
受信したチャンネルがデジタルＴＶ放送であると判定された場合には、チャンネル間隔に相当する分周比Ｋと周波数シフト量Δｆに相当する分周比Ｄの和だけ、制御部１１３の与える分周比Ｎを増加させて（Ｓ６１１）、Ｓ６０２の受信レベル検出に進む。これにより、１つ上のチャンネルの音声キャリヤ周波数近傍の信号エネルギーレベルが検出される。
【００４４】
受信したチャンネルがアナログＴＶ放送であると判定された場合には、周波数シフト量Δｆに相当する分周比Ｄだけ、制御部１１３の与える分周比Ｎを増加させて（Ｓ６０９）、アナログＴＶ放送を受信する（Ｓ６１０）。
【００４５】
尚、Ｓ６０８では、所定の第２の閾値とＳ６０７で得た受信レベルとを比較することにより分岐先を判定しているが、Ｓ６０２で得た受信レベルとＳ６０７で得た受信レベルの差を算出し、この差が所定の第３の閾値より大きい場合にＳ６０９に進み、そうでない場合にＳ６１１に進むようにしてもよい。
【００４６】
本実施例によれば、クロマ、映像信号の含まれない垂直帰線期間に２回目の受信レベル検出を行うため、より誤検出を少なくすることができる。
【実施例４】
【００４７】
本発明の実施例４によるアナログＴＶ受信機の構成は、図１に示したものと同じである。また、Δｆ、Ｄ、及び閾値は、実施例１と同じように設定する。
図７は、実施例４によるサーチアップ選局時における図１の制御部１１３の制御フローである。
同図を参照し、本発明の実施例４のアナログ放送／デジタル放送の判別機能について説明する。
【００４８】
まず、チャンネル間隔（例えば、６ＭＨｚ）に相当する分周比Ｋだけ、制御部１１３の与える分周比Ｎを増加させる（Ｓ７０１）。これは、１つ上のチャンネルを選局することを目的とするものである。また、Ｎの初期値は、最下位のチャンネルの音声キャリヤの周波数に相当する値である。
【００４９】
次に、レベル検波部１１２から制御部１１３に入力された受信レベル情報に基づいて受信レベルの検出を行う（Ｓ７０２）。そして、検出された受信レベルが所定の第１の閾値を超えているか否かを判定する（Ｓ７０３）。受信レベルが所定の第１の閾値を超えた場合には（Ｙｅｓ）、アナログＴＶ放送又はデジタルＴＶ放送の受信レベル有りと判定し、Ｓ７０４に進み、そうでない場合には（Ｎｏ）、Ｓ７０１に進む。
Ｓ７０１〜Ｓ７０３のループにより、Ｓ７０３で受信レベル有りと判定されるまで、次々に１つずつ上のチャンネルに同調周波数がシフトされる。
【００５０】
Ｓ７０３で受信レベル有りと判定されると（Ｙｅｓ）、周波数シフト量Δｆ（＜０）に相当する分周比Ｄ（＞０）だけ、制御部１１３の与える分周比Ｎを減少させる（Ｓ７０４）。
【００５１】
レベル検波部１１２から制御部１１３に入力された受信レベル情報に基づいて受信レベルの検出をフィールド走査期間内（例えば、約１６．７ｍｓｅｃ）において時間Δｔ間隔おきに奇数で複数回（５ｍｓｅｃおきに３回等）行う（Ｓ７０５〜Ｓ７０９）。
Ｍは、この検出のループを回すための変数であり、Ｓ７０７で判定するＭの値によって、ループを回す回数を決めることができる。
図７に示した例では、この検出のループは、３回だけ回る。
【００５２】
Ｓ７０６では、受信レベルを検出するとともに、それが所定の第２の閾値を上回るか否かを判定し、ループを回す間に第２の閾値を上回った回数を検出回数としてカウントする。これにより、音声キャリヤより｜Δｆ｜だけ低い（映像搬送周波数寄りの）周波数近傍の信号エネルギーレベルがある水準より大となる回数がカウントされる。
【００５３】
次に、上記の検出回数がループを回す複数回の過半数（この例では、２回）以上となるか否かを判定する（Ｓ７１０）。過半数以上である場合には（Ｙｅｓ）、デジタルＴＶ放送の受信レベル有りと判定し、Ｓ７１３に進む。そうでない場合には（Ｎｏ）、アナログＴＶ放送の受信であると判定し、Ｓ７１１に進む。
【００５４】
受信したチャンネルがデジタルＴＶ放送であると判定された場合には、チャンネル間隔に相当する分周比Ｋと周波数シフト量Δｆに相当する分周比Ｄの和だけ、制御部１１３の与える分周比Ｎを増加させて（Ｓ７１３）、Ｓ７０２の受信レベル検出に進む。これにより、１つ上のチャンネルの音声キャリヤ周波数近傍の信号エネルギーレベルが検出される。
【００５５】
受信したチャンネルがアナログＴＶ放送であると判定された場合には、周波数シフト量Δｆに相当する分周比Ｄだけ、制御部１１３の与える分周比Ｎを増加させて（Ｓ７１１）、アナログＴＶ放送を受信する（Ｓ７１２）。
【００５６】
本実施例によれば、１フィールド中に複数回受信レベルを検出することにより、誤検出を少なくすることができる。
【実施例５】
【００５７】
図８は、図１の第１の混合器１０３の出力信号であるＩＦ信号をスペクトラム・アナライザーで観測した波形の一例である。
ＩＦ信号は、ＲＦ信号に対して周波数軸が反転して観測されることに注意されたい。
例えば、ＲＦ信号においては１４チャンネルより高い周波数帯域に１５チャンネルのスペクトラムが現れるが、ＩＦ信号においては１４チャンネルより低い周波数帯域に１５チャンネルのスペクトラムが現れることになる。
【００５８】
１５チャンネルにデジタルＴＶ放送の強力な信号が有り、１４チャンネルが無信号であるような信号をアナログＴＶ放送受信機で受信すると、ＡＧＣが最適でない等の理由により波形歪みを生じ、図８に示すように１４チャンネルにエネルギーが現れる。
【００５９】
このような信号に実施例１を適用すると、周波数Ａにおいて第１回目の受信レベル検出が行われ、それより周波数がΔｆだけシフトした周波数Ｂにおいて第２回目の受信レベル検出が行われることになるが、周波数Ａにおける受信レベルより、周波数Ｂにおける受信レベルがかなり下がっているため、１４チャンネルにアナログＴＶ放送があると誤検出され、１４チャンネルで同調が停止することになる。
【００６０】
このようなことを防ぐために、周波数のシフト量｜Δｆ｜を検出動作に必要な最小量に設定して、歪みの影響を少なくすることが考えられる。
音声系レベル検波を行う音声系フィルタの帯域幅は、例えば５００ＫＨｚあるが、このフィルタを周波数軸上で映像帯域方向へ（下方へ）シフトさせて、ちょうど映像帯域に覆われるようにするシフト量が、上記最小量である。
【００６１】
アナログＴＶ放送の映像帯域の上端周波数（映像搬送周波数＋４．２ＭＨｚ）と音声系フィルタの中心周波数の差は３００ＫＨｚであるから、
３００＋５００／２＝５５０ＫＨｚ
だけ音声系フィルタを映像帯域方向へ（下方へ）シフトさせると、音声系フィルタはちょうど映像帯域に覆われるようになる。
【００６２】
従って、実施例１の構成、フロー、及び閾値をそのまま用いて、Δｆ＝−５５０ＫＨｚとすることにより、第２回目の受信レベル検出のための同調周波数は、映像帯域上端部に設定されることとなるため、周波数Ａと周波数Ｂが近づくことになり、第２回目の受信レベルが過度に小さくなるのを防ぐことができ、それにより、強力な信号のデジタルＴＶ放送の１チャンネル手前で停止する誤動作を避けることができる。
【００６３】
本実施例によれば、放送局近傍の強入力下でも、誤動作の少ないＴＶ放送方式の判別が可能である。
【００６４】
尚、上述の実施例においては、自動選局としてサーチアップ選局を例に挙げて説明したが、サーチダウン選局の場合にも全ての構成図及びフローを全く同様に用いることができ、Ｓ３０１等に現れる定数Ｋの符号を単に反転すればよいことが理解されよう。
【図面の簡単な説明】
【００６５】
【図１】本発明の実施例１によるアナログＴＶ受信機の構成を示す図である。
【図２】ＰＬＬ周波数シンセサイザの原理図である。
【図３】サーチアップ選局時における制御部の制御フローである。
【図４】本発明の実施例２によるアナログＴＶ受信機の構成を示す図である。
【図５】本発明の実施例３によるアナログＴＶ受信機の構成を示す図である。
【図６】サーチアップ選局時における制御部の制御フローである。
【図７】サーチアップ選局時における制御部の制御フローである。
【図８】ＩＦ信号をスペクトラム・アナライザーで観測した波形の一例である。
【符号の説明】
【００６６】
１０１    アンテナ
１０２    無線周波増幅部
１０３    第１の混合器
１０４    第１の発振器
１０５    ＰＬＬ
１０６    映像ＩＦフィルタ
１０７    映像ＩＦ増幅部
１０８    映像復調部
１０９    音声ＩＦフィルタ
１１０    音声ＩＦ増幅部
１１１    音声復調部
１１２    レベル検波部
１１３    制御部
【図１】
2007037023.tif 000003
【図２】
2007037023.tif 000004
【図３】
2007037023.tif 000005
【図４】
2007037023.tif 000006
【図５】
2007037023.tif 000007
【図６】
2007037023.tif 000008
【図７】
2007037023.tif 000009
【図８】
2007037023.tif 000010